(57)【要約】  表示品位を良好に保つことができる光源装置及び該光源装置を備える表示装置を提供する。  光源と、該光源に側面又は広面を対向させた透光性の板と、該透光性の板の周縁部を保持する枠状面を有する保持枠と、前記透光性の板の周縁部及び前記保持枠の枠状面間に介装されてあるスペーサとを備える光源装置において、前記保持枠は、前記枠状面における前記スペーサの当接箇所よりも外縁側に、枠形状に沿うようにして設けられているリブと、該リブ及び前記当接箇所の間に設けられている凹部とを備える。
2016170620.tif 000002
【特許請求の範囲】
【請求項１】
光源と、該光源に側面又は広面を対向させた透光性の板と、該透光性の板の周縁部を保持する枠状面を有する保持枠と、前記透光性の板の周縁部及び前記保持枠の枠状面間に介装されてあるスペーサとを備える光源装置において、
前記保持枠は、
前記枠状面における前記スペーサの当接箇所よりも外縁側に、枠形状に沿うようにして設けられているリブと、
該リブ及び前記当接箇所の間に設けられている凹部と
を備えることを特徴とする光源装置。
【請求項２】
前記リブは、枠状面の全周に亘って設けられており、
前記凹部は、前記リブに沿った複数の線状の溝である
ことを特徴とする請求項１に記載の光源装置。
【請求項３】
前記保持枠は、
前記枠状面の反対面に、枠形状に沿うようにして設けられているリブと、
該リブよりも外縁側に設けられている凹部と
を更に備えることを特徴とする請求項１に記載の光源装置。
【請求項４】
光源と、該光源に側面又は広面を対向させた透光性の板と、該透光性の板の周縁部を保持する第１の枠状面を有する保持枠と、前記透光性の板の周縁部及び前記保持枠の枠状面間に介装されてある第１のスペーサと、前記保持枠の前記第１の枠状面とは反対側の第２の枠状面にて透光性の板と対向するように周縁部を保持される液晶パネルと、該液晶パネルの周縁部及び前記保持枠の前記第２の枠状面間に介装されてある第２のスペーサとを備え、前記透光性の板から出射する光が前記液晶パネルを照射するようにしてある表示装置において、
前記保持枠は、
前記第１の枠状面における前記第１のスペーサに対する第１の当接箇所よりも外縁側に、枠形状に沿うようにして設けられている第１のリブと、
該第１のリブ及び前記第１の当接箇所の間に設けられている凹部と
を備えることを特徴とする表示装置。
【請求項５】
前記第２の枠状面における前記第２のスペーサに対する第２の当接箇所よりも内縁側に、枠形状に沿うようにして設けられている第２のリブと、
該第２のリブ及び前記第２の当接箇所の間に設けられている凹部と
を備えることを特徴とする請求項４に記載の表示装置。
【発明の詳細な説明】
【技術分野】
【０００１】
本発明は、液晶パネルを用いて画像を表示する表示装置に関し、表示品位を良好に保つことができる光源装置及び該光源装置を備える表示装置に関する。
【背景技術】
【０００２】
液晶パネルを用いた表示装置には、液晶パネルへ光を照射する光源装置が必要である。光源装置には、エッジライト型の光源装置と直下型の光源装置とが用いられている。【０００３】
エッジライト型の光源装置では、一広面を液晶パネルに対向させた透明板の一又は複数の側面に発光ダイオード等の光源を所定の間隔を隔てて対向配置させ、また、液晶パネルと透明板との間に光を拡散又は集光させるための光学シートを備えて構成される。エッジライト型の光源装置における透明板は、光源からの光を端面から内部に進入させ、一広面側の各箇所からムラなく出射させる導光板として機能する。【０００４】
直下型の光源装置では、一広面を液晶パネルに対向させた透光性の板の反対面側に発光ダイオード等の光源を所定の間隔を隔てて対向配置させ、また、液晶パネルと透光性の板との間にエッジライト型同様に光学シートを備えて構成される。直下型における透光性の板は、光源からの光を一広面から内部に進入させ、進入した光を、内部に有している散乱体によって散乱させて他広面側の各箇所からムラなく出射させる拡散板として機能する。【０００５】
いずれの型の光源装置においても、導光板又は拡散板として用いられる透光性の板には、ＰＭＭＡ、ＭＳ等の樹脂製のものが用いられる。透光性の板はそれ自体、可塑性が比較的大きい部材であるから、位置決めするために筐体又は保持部材等による保持を必要とする。そして透光性の板の筐体又は保持部材への収容の際には、部材間の間隔保持及び振動吸収のために、柔軟な素材で構成されるスペーサが接着されて介装される。【０００６】
ところが、透光性の板は熱膨張及び熱収縮する性質を有し、更に湿気の影響を受けて伸縮する性質を有している。透光性の板は光源装置に使用される場合、光源から発せられる熱による加熱及び光源が停止している間の冷却によって伸縮する。この伸縮により、透光性の板と筐体又は保持部材との間に介装されているスペーサへ力が掛かり、スペーサの接着力が低下しているときにはスペーサが変位する。スペーサの変位は、振動吸収機能の低下、空隙の発生による内部への異物混入などを発生させ、表示品質の低下を起こす原因になる。【０００７】
特許文献１には、光源装置における液晶パネルを設置する部分に特殊な形状のスペーサを固定しておくことにより、液晶パネルを設置した場合に液晶パネルへのストレス負荷を低減し、液晶パネルと光源装置との間への異物混入を防止することを可能とした光源装置が開示されている。
【先行技術文献】
【特許文献】
【０００８】
【特許文献１】特開２００５−０９１９７１号公報
【発明の概要】
【発明が解決しようとする課題】
【０００９】
特許文献１に開示されているスペーサの構成を、光源装置における透光性の板と筐体又は保持部材との間に介装されるスペーサに適用することはできる。しかしながら、特許文献１に開示されているスペーサは、液晶パネルと光源装置との間の衝撃吸収と異物混入を考慮した構成としており、光源装置の光源を熱源とする加熱と冷却との繰り返しによるスペーサの変位については考慮されていない。また特許文献１では、スペーサを特殊な形状とすることによりその機能を発揮しているが、その形状を形成するためにコスト高となる。【００１０】
本発明は斯かる事情に鑑みてなされたものであり、簡易な構成でスペーサの変位を防止し、振動吸収機能の低下、又は異物の混入等による表示不良を防止することが可能な光源装置及び該光源装置を備える表示装置を提供することを目的とする。
【課題を解決するための手段】
【００１１】
本発明に係る光源装置は、光源と、該光源に側面又は広面を対向させた透光性の板と、該透光性の板の周縁部を保持する枠状面を有する保持枠と、前記透光性の板の周縁部及び前記保持枠の枠状面間に介装されてあるスペーサとを備える光源装置において、前記保持枠は、前記枠状面における前記スペーサの当接箇所よりも外縁側に、枠形状に沿うようにして設けられているリブと、該リブ及び前記当接箇所の間に設けられている凹部とを備えることを特徴とする。【００１２】
本発明に係る光源装置は、前記リブは、枠状面の全周に亘って設けられており、前記凹部は、前記リブに沿った複数の線状の溝であることを特徴とする。【００１３】
本発明に係る光源装置は、前記保持枠は、前記枠状面の反対面に、枠形状に沿うようにして設けられているリブと、該リブよりも外縁側に設けられている凹部とを更に備えることを特徴とする。【００１４】
本発明に係る表示装置は、光源と、該光源に側面又は広面を対向させた透光性の板と、該透光性の板の周縁部を保持する第１の枠状面を有する保持枠と、前記透光性の板の周縁部及び前記保持枠の枠状面間に介装されてある第１のスペーサと、前記保持枠の前記第１の枠状面とは反対側の第２の枠状面にて透光性の板と対向するように周縁部を保持される液晶パネルと、該液晶パネルの周縁部及び前記保持枠の前記第２の枠状面間に介装されてある第２のスペーサとを備え、前記透光性の板から出射する光が前記液晶パネルを照射するようにしてある表示装置において、前記保持枠は、前記第１の枠状面における前記第１のスペーサに対する第１の当接箇所よりも外縁側に、枠形状に沿うようにして設けられている第１のリブと、該第１のリブ及び前記第１の当接箇所の間に設けられている凹部とを備えることを特徴とする。【００１５】
本発明に係る表示装置は、前記第２の枠状面における前記第２のスペーサに対する第２の当接箇所よりも内縁側に、枠形状に沿うようにして設けられている第２のリブと、該第２のリブ及び前記第２の当接箇所の間に設けられている凹部とを備えることを特徴とする。【００１６】
本発明では、透光性の板を保持する枠状面には、スペーサ（第１のスペーサ）の当接箇所よりも外縁側にリブが設けられており、更にリブよりもスペーサ側に凹部が設けられている。透光性の板が光源からの熱又は周囲の湿気の影響を受けて伸縮を繰り返した場合、スペーサが透光性の板の伸縮に追従して徐々に外縁側に変位する。この変位はリブとの当接により制限されるが、スペーサがリブに達した場合、リブを乗り越えようとする変形分の一部がリブの手前に位置する凹部への入り込みにより吸収され、これにより、スペーサのリブの乗り越えの虞が低下する。【００１７】
本発明では、凹部が複数の溝によって構成されていることにより、スペーサ（第１のスペーサ）が溝に達したときに各溝間の面がスペーサを支持し、スペーサの大部分又は全部が溝に落ち込むことによる透光性の板と保持枠との間の空隙の発生及び衝撃吸収能力の低下が回避される。【００１８】
本発明では、保持枠は、拡散板又は導光板などの透光性の板側のスペーサ（第１のスペーサ）が接する面のみならず、液晶パネル（又はカバーガラス等）側のスペーサ（第２のスペーサ）との当接面にもリブ及び凹部が設けられている。液晶パネル側のスペーサとの当接面では、スペーサよりも内縁側にリブが設けられ、リブよりもスペーサ側に凹部が設けられている。保持枠自身が光源からの熱の影響を受けて伸縮を繰り返した場合、保持枠及び液晶パネルとの間のスペーサが保持枠の伸縮に追従して動き、徐々に内縁側に変位する。スペーサがリブに達したとき、リブを乗り越えようとする変形分の一部が、リブの手前に位置する凹部への入り込みにより吸収される。このため、スペーサのリブの乗り越えの虞が低下し、表示領域への入り込みが回避される。
【発明の効果】
【００１９】
本発明による場合、スペーサがリブを乗り越える虞が低下し、スペーサの変位を防止することができるので、振動吸収機能の低下又は異物の混入等を防止し、表示装置の表示品位を保つことが可能である。
【図面の簡単な説明】
【００２０】
【図１】実施の形態１における表示装置の要部を模式的に示す断面図である。
【図２】実施の形態１における第２シャーシの一部を示す模式斜視図である。
【図３】スペーサの経時変化を示す説明図である。
【図４】実施の形態２における表示装置の要部を模式的に示す断面図である。
【図５】スペーサの経時変化を示す説明図である。
【図６】実施の形態３における表示装置の要部を模式的に示す断面図である。
【発明を実施するための形態】
【００２１】
以下に、本発明の実施の形態について図面に基づき具体的に説明する。なお、以下に開示する実施の形態では、液晶パネルを用いた表示装置に本発明を適用した例を挙げて詳細に説明する。
【００２２】
（実施の形態１）
図１は、実施の形態１における表示装置１００の要部を模式的に示す断面図である。表示装置１００は、液晶パネル１及び光源装置２を備える。
【００２３】
液晶パネル１は表示パネルであり、矩形の平板状をなす。液晶パネル１は、所定の間隙を隔てて対向配置された２つのガラス基板１１，１２の間に液晶１３が注入され、封止材１４により封止されて構成される。またガラス基板１１，１２には夫々、ガラス基板１１，１２よりも小さい偏光フィルム１５が貼着されてある。
【００２４】
光源装置２は、光源として発光ダイオード２１を用いる直下型の光源装置である。
【００２５】
発光ダイオード２１は、青色又は紫外光を発光するダイオードの表面に蛍光体が塗布されることで白色光を発する発光素子である。基板２２の一面には複数の発光ダイオード２１が略等間隔に並置されて実装され、またこれらの発光ダイオード２１の点灯を制御する回路が形成されている。
【００２６】
反射シート２３は、ＰＥＴフィルム又はＰＥＴ板材を基材として金属膜等を反射層として積層した光学シートである。
【００２７】
拡散板２４は矩形状の透光性の板材である。拡散板２４は、例えばアクリル樹脂に光拡散材と呼ばれる微粒子を添加して構成されている。
【００２８】
光学シート２７は、ＰＥＴフィルムを基材とした矩形状シート群であり、例えばレンズシート、プリズムシート、及び拡散シートからなる３枚の光学シート群である。
【００２９】
第１シャーシ２５は、一面が開放された金属製の矩形浅箱状であり、適幅の周縁部を有している。
【００３０】
第２シャーシ２６は、矩形枠部２６１と該矩形枠部２６１の外縁に立設される周板２６２とを有する金属製又は樹脂製の枠体である。第２シャーシの周板２６２の内周は第１シャーシ２５の外周と略一致する。第２シャーシ２６は例えば、断面Ｌ字状のアングル材４つを結合して構成される。ここで第２シャーシ２６の模式斜視図を参照して詳細を説明する。図２は、実施の形態１における第２シャーシ２６の一部を示す模式斜視図である。なお図１の断面図中に示される第２シャーシ２６の断面は、図２中のＡ−Ａ´線による断面に相当する。第２シャーシ２６のアングル内側（Ｌ字内側）の面の内、矩形枠部２６１側の面にはアングルの長さ方向の全長に亘ってリブ２６３が設けられており、これにより矩形枠部２６１の全周に亘るリブ２６３が構成される。更に、第２シャーシ２６においては、リブ２６３に対して内縁側に隣接する位置に溝（凹部）２６４が設けられている。溝２６４は図２に示す如く、リブ２６３に沿って所定間隔を開けて所定の長さを有して複数設けられている。
【００３１】
図１に戻り説明を続ける。光源装置２は以下のように組み立てられて、液晶パネル１と共に表示装置１００を構成する。
【００３２】
第１シャーシ２５の底面上に、発光ダイオード２１が実装されている複数の基板２２が配置される。次に反射シート２３が第１シャーシ２５の内壁に沿って設置される。反射シート２３の大きさは、第１シャーシ２５の周縁部を余す程度である。なお反射シート２３には、発光ダイオード２１に対応する位置に孔が設けられており、発光面が露出するようにしてある。次に拡散板２４が第１シャーシ２５の周縁部に反射シート２３を挟んで載置される。拡散板２４は反射シート２３よりも小さく、第１シャーシ２５の周縁部によって支持される。
【００３３】
次に第２シャーシ２６が配置される。第２シャーシ２６の矩形枠部２６１のアングル内側の面には、溝２６４よりも内縁側の位置に、全周に亘ってスペーサ６０が延設されている。スペーサ６０の高さはリブ２６３よりも高い。スペーサ６０は例えばゴムなどの柔軟な素材からなり、第２シャーシ２６に両面テープで接着固定されている。なおスペーサ６０は遮光性を有しているとよい。そして第２シャーシ２６は、スペーサ６０の接着面とは反対側の面を拡散板２４の周縁部に当接させ、矩形枠部２６１で拡散板２４の周縁部を覆うようにし、周板２６２の内側に第１シャーシ２５の側板外周を嵌め合わせるようにして設置される。これにより、反射シート２３及び拡散板２４が第１シャーシ２５及び第２シャーシ２６により挟持され、発光ダイオード２１及び基板２２と共に収容される。
【００３４】
次に光学シート２７が設置され、これにより光源装置２が構成される。光学シート２７は、枠体である第２シャーシ２６の開口部よりも大きく、第２シャーシ２６の矩形枠部２６１の外側の面の開口部周縁に設けられた凹部により、周縁部が保持されるようにしてある。
【００３５】
更に、液晶パネル１が光源装置２上に設置される。液晶パネル１は第２シャーシ２６よりも少し小さく、矩形枠部２６１の開口部周縁に設けられた凹部を覆う大きさである。第２シャーシ２６の開口部周縁に設けられた凹部よりも外側の外周縁部には、全周に亘ってスペーサ７０が設けられている。スペーサ７０は例えばゴムなどの柔軟な素材からなり、第２シャーシ２６に予め両面テープで接着固定されている。そして液晶パネル１のガラス基板１２側の周縁部におけるガラス基板１２の露出面がスペーサ７０に当接するように、液晶パネル１が光源装置２上に載置される。
【００３６】
次にベゼル３が設置される。ベゼル３は例えば金属製であり、断面Ｌ字状のアングルから構成される枠体である。ベゼル３の内側開口部より少し内側に周方向の全長に亘ってスペーサ３０が設けられている。スペーサ３０は例えばゴム等の柔軟な素材からなり、ベゼル３に両面テープで接着固定されている。スペーサ３０は遮光性を有しているとよい。ベゼル３の周板の内周は第２シャーシ２６の周板２６２外周と略一致し、ベゼル３の開口部は液晶パネル１よりも小さく、より詳細にはガラス基板１１に貼着されている偏光フィルム１５よりも小さい。液晶パネル１のガラス基板１１側の周縁部におけるガラス基板１１の露出面がスペーサ３０に当接するように、ベゼル３が液晶パネル１上に設置される。このときベゼル３の周板の内側に第２シャーシ２６の周板２６２外周を嵌め合わせるようにして設置される。ベゼル３、第２シャーシ２６及び第１シャーシ２５間を結合することにより、液晶パネル１がベゼル３及び第２シャーシ２６により挟持されて表示装置１００が構成される。このときベゼル３の開口部から液晶パネル１の表示領域が露出し、外部から視認可能である。
【００３７】
以上のように構成される表示装置１００では、光源装置２において基板２２上に配置された発光ダイオード２１からの光が、直接的又は反射シート２３で反射されて拡散板２４に入射する。拡散板２４内では、入射光が光拡散材による散乱を繰り返し、発光ダイオード２１とは反対面側の出射面の各箇所から均一的に出射される。拡散板２４からの出斜光は更に光学シート２７を通ることで、より均一な平面光として出射される。これにより、光源装置２は均一な照度の光を出射する面光源として機能する。光学シート２７から出射した平面光が、液晶パネル１に照射され、液晶パネル１内で画像信号に基づいて複数の画素に応じた箇所で変調される。これにより、視聴者は表示装置１００にて動画像を視認することが可能となる。
【００３８】
実施の形態１の光源装置２において拡散板２４は、主に発光ダイオード２１を熱源とする加熱及び冷却により伸縮する。この伸縮により、第１シャーシ２５との間に拡散板２４を挟持する第２シャーシ２６に接着されているスペーサ６０が、外縁側へ向けて変位する。この変位は、リブ２６３に当接することで止まるが、変位の力が強い場合リブ２６３を乗り越える虞がある。実施の形態１における第２シャーシ２６では、更に、リブ２６３よりも外縁側（スペーサ６０からは手前側）に溝２６４が設けられており、溝２６４が乗り越えを抑止する作用をなす。以下、リブ２６３及び溝２６４によるスペーサ６０の乗り越え抑止について図面を参照して詳細に説明する。
【００３９】
図３は、スペーサ６０の経時変化を示す説明図である。図３は、図１に示した表示装置１００の要部断面図の内、スペーサ６０部分の拡大図である。図中二点鎖線により、表示装置１００の組み立て時におけるスペーサ６０の位置を示している。例えば表示装置１００の電源がオンとされたとき、発光ダイオード２１が点灯することで光源装置２内部の温度が上昇を開始し、拡散板２４は熱膨張しようとする。温度上昇開始時点においては第２シャーシ２６へのスペーサ６０の接着強度と、拡散板２４及びスペーサ６０間の摩擦力とでは摩擦力の方が勝った状態であり、スペーサ６０は拡散板２４の膨張に追随する方向、即ち外縁側へ変位する。温度上昇につれて、第２シャーシ２６へのスペーサ６０の接着強度が拡散板２４及びスペーサ６０間の摩擦力よりも勝るようになり、スペーサ６０の拡散板２４の膨張に追随する方向への力は低下する。次に、表示装置１００の電源がオフとされたとき、発光ダイオード２１が消灯することによって光源装置２内部の温度の下降が開始され、拡散板２４は熱収縮しようとする。この時点では、温度が上昇した状態であるから第２シャーシ２６へのスペーサ６０の接着強度が拡散板２４及びスペーサ６０間の摩擦力よりも勝った状態にある。したがって温度下降開始時では、拡散板２４の収縮に追随する方向（内縁側）へのスペーサ６０の変位量は、温度上昇開始時の外縁側への変位量と比較して少ない。つまり、光源装置２の温度上昇開始時はスペーサ６０が第２シャーシ２６上で外縁側へ変位し易く、温度下降開始時は、スペーサ６０は内縁側へ変位し難い。したがって光源装置２の加熱及び冷却の繰り返しにより、スペーサ６０は徐々に外縁側へ向けて図３に示す如くリブ２６３側へ変位する。
【００４０】
実施の形態１における光源装置２においては、スペーサ６０の外縁側への変位を抑止するためにリブ２６３が形成されている。ただし、リブ２６３の高さはスペーサ６０よりも低く、リブ２６３と拡散板２４との間には隙間が存在するから、スペーサ６０の変位が大きくなった場合、スペーサ６０は隙間から膨出するように変形し、リブ２６３を乗り越える虞がある。実施の形態１における光源装置２の第２シャーシ２６は、リブ２６３よりも内縁側に溝２６４を設けたものである。溝２６４により、変位を続けたスペーサ６０がリブ２６３へ到達したときに、溝２６４内に膨出するように変形することができる。したがって、リブ２６３を乗り越えようとする変形分の一部が溝２６４への膨出によって吸収され、これにより、スペーサ６０のリブ２６３と拡散板２４との間の隙間からの膨出が抑制され、スペーサ６０によるリブ２６３の乗り越えの虞が低下する。したがって、スペーサ６０がリブ２６３を乗り越え、更に外縁側へ変位して拡散板２４と第２シャーシ２６との間から抜け出ることによるスペーサ６０の拡散板２４の保持機能及び衝撃吸収機能の喪失、拡散板２４と第２シャーシとの間の空隙の発生が防止される。
【００４１】
しかも、溝２６４は図２に示した如く、複数の溝２６４が所定間隔を開けて所定の長さを有して設けられているため、スペーサ６０の一部が所定間隔に対応する矩形枠部２６１の内側面に支持される。溝２６４が所定間隔を開けて複数設けられていることにより、柔軟な素材からなるスペーサ６０の大部分又は全部が溝２６４内部に入り込むことが抑止される。したがってスペーサ６０と拡散板２４との間の接触面積が縮小されることによる衝撃吸収機能の低下、スペーサ６０と拡散板２４との間の空隙の発生を抑制することも可能である。
【００４２】
（実施の形態２）
図４は、実施の形態２における表示装置１００ｂの要部を模式的に示す断面図である。実施の形態２における表示装置１００ｂの構成は、第２シャーシ２６ｂ以外は実施の形態１における表示装置１００の構成と同一であるから、共通する構成部については同一の符号を付して詳細な説明を省略する。
【００４３】
第２シャーシ２６ｂは、矩形枠部２６１と該矩形枠部２６１の外縁に立設される周板２６２とを有する金属製又は樹脂製の枠体である。第２シャーシ２６ｂの内周は、第１シャーシ２５の外周と略一致する。第２シャーシ２６ｂは例えば、断面Ｌ字状のアングル４つを結合して構成される。第２シャーシ２６ｂのアングル内側（Ｌ字内側）の面の内、矩形枠部２６１側の面にはアングルの長さ方向の全長に亘ってリブ２６３が設けられており、これにより矩形枠部２６１の全周に亘るリブ２６３が構成される。更に、第２シャーシ２６ｂにおいては、リブ２６３に対して内縁側に隣接する位置に溝（凹部）２６４が設けられている。なお溝２６４は、リブ２６３に沿って所定間隔を開けて所定の長さを有して複数設けられているとよい。
【００４４】
実施の形態２における第２シャーシ２６ｂには更に、アングル外側（Ｌ字外側）の面の内、矩形枠部２６１の開口部周縁に設けられた凹部よりも外側の外周縁部における開口部寄りの位置に、全周に亘ってリブ２６５が設けられ、リブ２６５の外縁側に隣接する位置に溝（凹部）２６６が設けられている。なお溝２６６は、リブ２６５に沿って所定間隔を開けて所定の長さを有して複数設けられているとよい。
【００４５】
このように実施の形態２では、第２シャーシ２６ｂの外側の面、即ち液晶パネル１側の面にもリブ２６５及び溝２６６が設けられている。光源装置２ｂに液晶パネル１が設置されるに際し、スペーサ７０がリブ２６５及び溝２６６よりも外縁側に、リブ２６５に沿うようにして第２シャーシ２６ｂに接着固定される。そしてスペーサ７０を介して液晶パネル１が載置される。
【００４６】
実施の形態２においては、表示装置１００の加熱及び冷却の繰り返しによるスペーサ７０の変位も抑止される。図５は、スペーサ７０の経時変化を示す説明図である。図５は、図４に示した表示装置１００ｂの要部断面図の内、スペーサ７０部分の拡大図である。図中二点鎖線により、表示装置１００ｂの組み立て時におけるスペーサ７０の位置を示している。例えば表示装置１００ｂの電源がオンとされたとき、発光ダイオード２１が点灯することで光源装置２ｂ全体の温度が上昇を開始し、第２シャーシ２６ｂも熱膨張しようとする。第２シャーシ２６ｂの熱膨張率は、拡散板２４の熱膨張率よりも小さいが、ガラス基板１２の熱膨張率よりも小さい。したがって、温度上昇によって第２シャーシ２６ｂは膨張する。温度上昇開始時点においては第２シャーシ２６ｂへのスペーサ７０の接着強度と、スペーサ７０及びガラス基板１２間の摩擦力とでは摩擦力の方が勝った状態であり、スペーサ７０は第２シャーシ２６ｂの膨張に対し、その場にとどまる。その後、表示装置１００の電源がオフとされたとき、発光ダイオード２１が消灯することによって光源装置２ｂ内部の温度の下降が開始され、第２シャーシ２６ｂは収縮しようとする。この時点では、温度が上昇した状態であるから、スペーサ７０の第２シャーシ２６ｂへの接着強度がスペーサ７０及びガラス基板１２間の摩擦力に勝った状態にある。したがって、温度下降開始時では、スペーサ７０は第２シャーシ２６ｂ自身の内縁側への収縮に追随する方向へ移動する。つまり、光源装置２ｂの温度上昇開始時はスペーサ７０が第２シャーシ２６ｂ上で外縁側へ変位し難く、温度下降開始時は、スペーサ７０は内縁側へ変位し易い。したがって、光源装置２ｂの加熱及び冷却の繰り返しにより、スペーサ７０は徐々に内縁側へ向け図５に示す如くリブ２６５側へ変位する。
【００４７】
実施の形態２における光源装置２ｂにおいては、スペーサ７０の内縁側への変位を抑止するためにリブ２６５が形成されている。ただし、リブ２６５の高さはスペーサ７０よりも低く、リブ２６５と液晶パネル１のガラス基板１２との間には隙間が存在するから、スペーサ７０の変位が大きくなった場合、スペーサ７０は隙間から膨出するように変形し、リブ２６５を乗り越える虞がある。実施の形態２における光源装置２の第２シャーシ２６ｂは、リブ２６５よりも外縁側に溝２６６を設けたものである。溝２６６により、変位を続けたスペーサ７０がリブ２６５へ到達したときに、溝２６６内に膨出するように変形することができる。したがって、リブ２６５を乗り越えようとするスペーサ７０の変形分の一部が溝２６６への膨出によって吸収され、これにより、スペーサ７０のリブ２６５と液晶パネル１のガラス基板１２との隙間からの膨出が抑制され、スペーサ７０によるリブ２６５の乗り越えの虞が低下する。したがって、スペーサ７０がリブ２６５を乗り越え、更に内縁側へ変位して液晶パネル１と第２シャーシ２６ｂとの間から抜け出ることによるスペーサ７０の液晶パネル１の保持機能及び衝撃吸収機能の喪失、液晶パネル１と第２シャーシ２６ｂとの間の空隙の発生、並びに、表示領域への入り込みを防止することができる。
【００４８】
しかも、溝２６６は溝２６４同様に複数の溝２６６が所定間隔を開けて所定の長さを有して設けられているため、スペーサ７０の一部が所定間隔に対応する矩形枠部２６１の内側面に支持される。これにより、柔軟な素材からなるスペーサ６０の大部分又は全部が溝２６４内部に入り込むことが抑止される。したがってスペーサ７０と液晶パネル１のガラス基板１２との間の接触面積が縮小されることによる衝撃吸収機能の低下、スペーサ７０とガラス基板１２との間の空隙の発生を抑制することも可能である。
【００４９】
（実施の形態３）
図６は、実施の形態３における表示装置２００の要部を模式的に示す断面図である。表示装置２００は、液晶パネル１及び光源装置４を備える。なお液晶パネル１の構成は、実施の形態１における構成と同一であるので同一の符号を付して詳細な説明を省略する。
【００５０】
光源装置４は、光源として発光ダイオード４１を用いるエッジライト型の光源装置である。
【００５１】
発光ダイオード４１は、青色又は紫外光を発光するダイオードの表面に蛍光体が塗布されることで白色光を発する発光素子である。基板４２は短冊状の板である。基板４２の一面には、長さ方向に複数の発光ダイオード４１が略等間隔に並置されて実装され、またこれらの発光ダイオード４１の点灯を制御する回路が形成されている。
【００５２】
反射シート４３は、ＰＥＴフィルムを基材として金属膜等を反射層として積層した光学シートである。
【００５３】
導光板４４は矩形状の透明板である。導光板４４は、例えばアクリル樹脂製である。なお導光板４４の一広面側には、散乱ドットが印刷又はレーザ加工により形成されている。
【００５４】
光学シート４７は、ＰＥＴフィルムを基材とした矩形状シート群であり、例えばレンズシート、プリズムシート、及び拡散シートからなる３枚の光学シート群である。
【００５５】
第１シャーシ４５は、一面が開放された金属製の矩形浅箱状をなす。
【００５６】
第２シャーシ４６は、矩形枠部４６１と該矩形枠部４６１の外縁に立設される周板４６２とを有する金属製又は樹脂製の枠体である。第２シャーシ４６の周板４６２の内周は第１シャーシ４５の周板の外周と略一致する。第２シャーシ４６は例えば、断面Ｌ字状のアングル材４つを結合して構成される（図２に示す第２シャーシ２６と同様）。第２シャーシ４６のアングル内側（Ｌ字内側）の面の内、矩形枠部４６１側の面にはアングルの長さ方向の全長に亘ってリブ４６３が設けられており、これにより矩形枠部４６１の全周に亘るリブ４６３が構成される。更に、第２シャーシ４６においては、リブ４６３に対して内縁側に隣接する位置に溝（凹部）４６４が設けられている。溝４６４は、図２における第１シャーシ２６同様、リブ４６３に沿って所定間隔を開けて所定の長さを有して複数設けられている。
【００５７】
光源装置４は以下のように組み立てられて、液晶パネル１と共に表示装置１００を構成する。
【００５８】
第１シャーシ４５の底面上に、反射シート４３が載置される。反射シート４３の大きさは、第１シャーシ４５の底面よりも少し小さい。第１シャーシ４５の側板の高さは、基板４２の幅相当分よりも高く、その側板の内側面の１つに、発光ダイオード４１の実装面が内側に向くように基板４２が固定される。そして導光板４４が反射シート４３上に設置される。導光板４４の大きさは、反射シート４３よりも小さく、導光板４４の厚みは第１シャーシ４５の深さ相当分よりも薄いので、導光板４４は反射シート４３と共に第１シャーシ４５内部に収容される。なおこのとき、導光板４４の一側面と基板４２の発光ダイオード４１実装面が対向するようにしてあり、導光板４４は、散乱ドットの形成面が反射シート４３側になるように設置される。
【００５９】
次に第２シャーシ４６が配置される。第２シャーシ４６の矩形枠部４６１のアングル内側の面には、溝４６４よりも内縁側の位置に、全周に亘ってスペーサ６１が延設されている。スペーサ６１の高さはリブ４６３よりも高い。スペーサ６１は例えばゴムなどの柔軟な素材からなり、第２シャーシ４６に両面テープで接着固定されている。なおスペーサ６１は遮光性を有しているとよい。そして第２シャーシ４６は、スペーサ６１の接着面とは反対側の面を導光板４４の周縁部に当接させ、矩形枠部４６１で導光板４４の周縁部を覆うようにし、周板４６２の内側に第１シャーシ４５の側板外周を嵌め合わせるようにして設置される。このとき第２シャーシ４６の各アングル内側の凹部からなる周溝に、第１シャーシ４５の周板の端部が嵌合するようにしてある。これにより、反射シート４３及び導光板２４が第１シャーシ４５及び第２シャーシ４６により挟持され、発光ダイオード４１と共に収容される。
【００６０】
次に光学シート４７が設置され、これにより光源装置４が構成される。光学シート４７は、第２シャーシ４６の開口部よりも大きく、第２シャーシ４６の矩形枠部４６１の外側面の開口部周縁に設けられている凹部により、周縁部が保持されるようにしてある。
【００６１】
更に、液晶パネル１が光源装置４上に設置される。液晶パネル１は第２シャーシ４６よりも少し小さく、矩形枠部４６１の開口部周縁に設けられた凹部を覆う大きさである。第２シャーシ４６の開口部周縁に設けられた凹部よりも外側の外周縁部には、全周に亘ってスペーサ７１が設けられている。スペーサ７１は例えばゴムなどの柔軟な素材からなり、第２シャーシ４６に予め両面テープで接着固定されている。そして液晶パネル１のガラス基板１２側の周縁部におけるガラス基板１２の露出面がスペーサ７１に当接するように、液晶パネル１が光源装置４上に載置される。
【００６２】
次にベゼル３が設置される。ベゼル３及びスペーサ３０は実施の形態１におけるベゼル３と同様であるので同一の符号を付して詳細な説明を省略する。ベゼル３の周板の内周は第２シャーシ４６の周板４６２外周と略一致する。液晶パネル１のガラス基板１１側の周縁部におけるガラス基板１１の露出面がスペーサ３０に当接するように、ベゼル３が液晶パネル１上に設置される。このときベゼル３の周板の内側に第２シャーシ４６の周板４６２外周を嵌め合わせるようにして設置される。ベゼル３、第２シャーシ４６及び第１シャーシ４５間を結合することにより、液晶パネル１がベゼル３及び第２シャーシ４６により挟持されて表示装置２００が構成される。このときベゼル３の開口部から液晶パネル２の表示領域が露出し、外部から視認可能である。
【００６３】
以上のように構成される表示装置２００では、光源装置４において基板４２上に配置された発光ダイオード４１からの線状の光が導光板４４内に進入する。導光板４４内では、内部に進入した光が反射シート４３における全反射と他面における部分反射を繰り返して内部を進行する。進行した光の内、導光板４４の散乱ドットにて散乱された光が光学シート４７１側の面から出射される。これにより、導光板４４の光学シート４７側の面における各箇所から均一に光が出射され、出射光は更に光学シート４７を通ることでより均一な平面光として出射される。これにより、光源装置４は均一な照度の光を出射する面光源として機能する。光学シート４７から出射した平面光が、液晶パネル１に照射され、液晶パネル１内で画像信号に基づいて複数の画素に応じた箇所で変調される。これにより、視聴者は表示装置２００にて動画像を視認することが可能となる。
【００６４】
実施の形態３の光源装置４において導光板４４は、主に発光ダイオード４１を熱源として加熱及び冷却による伸縮する。この伸縮により、第１シャーシ４５との間に導光板４４を挟持する第２シャーシ４６に接着されているスペーサ６１が、外縁側に向けて変位する。この変位は、リブ４６３に当接することで止まるが、変位の力が強い場合、リブ４６３を乗り越える虞がある。実施の形態３における第２シャーシ４６では、更に、リブ４６３よりも外縁側（スペーサ６１からは手前側）に溝４６４が設けられており、溝４６４が乗り越えを抑止する作用をなす。リブ４６３及び溝４６４による乗り越え抑止の作用については、実施の形態１における図３を参照した詳細な説明と同様である。
【００６５】
そして溝４６４も所定間隔を開けて所定の長さを有して複数設けられているため、スペーサ６１の一部が所定間隔に対応する矩形枠部４６１の内側面に支持される。溝４６４が所定間隔を開けて複数設けられていることにより、柔軟な素材からなるスペーサ６１の大部分又は全部が溝４６４内に入り込むことが抑止される。したがってスペーサ６１と導光板４４との間の接触面積が縮小されることによる衝撃吸収機能の低下、スペーサ６１と導光板４４との間の空隙の発生を抑制することも可能である。
【００６６】
また、実施の形態３における光源装置４においても、実施の形態２のように第２シャーシ４６の外側の面にもリブ及び溝を設け、液晶パネル１との間に介装されるスペーサ７１の移動を阻止することも可能である。
【００６７】
開示された実施の形態は、全ての点で例示であって制限的なものではないと考えられるべきである。本発明の範囲は上述の説明ではなくて請求の範囲によって示され、請求の範囲と均等の意味及び範囲内での全ての変更が含まれることが意図される。
【符号の説明】
【００６８】
１  液晶パネル
２，４  光源装置
２１  発光ダイオード（光源）
２４  拡散板（透光性の板）
２６，２６ｂ  第２シャーシ
２６１  矩形枠部
２６３，２６５  リブ
２６４，２６６  溝（凹部）
４４  導光板（透光性の板）
４６  第２シャーシ
４６１  矩形枠部
４６３  リブ
４６４  溝（凹部）
６０，６１，７０，７１  スペーサ
１００，１００ｂ  表示装置
【図１】
2016170620.tif 000003
【図２】
2016170620.tif 000004
【図３】
2016170620.tif 000005
【図４】
2016170620.tif 000006
【図５】
2016170620.tif 000007
【図６】
2016170620.tif 000008
【手続補正書】
【提出日】平成29年10月17日(2017.10.17)
【手続補正１】
【補正対象書類名】明細書
【補正対象項目名】全文
【補正方法】変更
【補正の内容】
【発明の詳細な説明】
【技術分野】
【０００１】
本発明は、液晶パネルを用いて画像を表示する表示装置に関し、表示品位を良好に保つことができる光源装置及び該光源装置を備える表示装置に関する。
【背景技術】
【０００２】
液晶パネルを用いた表示装置には、液晶パネルへ光を照射する光源装置が必要である。光源装置には、エッジライト型の光源装置と直下型の光源装置とが用いられている。
【０００３】
エッジライト型の光源装置では、一広面を液晶パネルに対向させた透明板の一又は複数の側面に発光ダイオード等の光源を所定の間隔を隔てて対向配置させ、また、液晶パネルと透明板との間に光を拡散又は集光させるための光学シートを備えて構成される。エッジライト型の光源装置における透明板は、光源からの光を端面から内部に進入させ、一広面側の各箇所からムラなく出射させる導光板として機能する。
【０００４】
直下型の光源装置では、一広面を液晶パネルに対向させた透光性の板の反対側の他広面側に発光ダイオード等の光源を所定の間隔を隔てて対向配置させ、また、液晶パネルと透光性の板との間にエッジライト型同様に光学シートを備えて構成される。直下型における透光性の板は、光源からの光を他広面から内部に進入させ、進入した光を、内部に有している散乱体によって散乱させて一広面側の各箇所からムラなく出射させる拡散板として機能する。
【０００５】
いずれの型の光源装置においても、導光板又は拡散板として用いられる透光性の板には、ＰＭＭＡ、ＭＳ等の樹脂製のものが用いられる。透光性の板はそれ自体、可塑性が比較的大きい部材であるから、位置決めするために筐体又は保持部材等による保持を必要とする。そして透光性の板の筐体又は保持部材への収容の際には、部材間の間隔保持及び振動吸収のために、柔軟な素材で構成されるスペーサが接着されて介装される。
【０００６】
ところが、透光性の板は熱膨張及び熱収縮する性質を有し、更に湿気の影響を受けて伸縮する性質を有している。透光性の板は光源装置に使用される場合、光源から発せられる熱による加熱及び光源が停止している間の冷却によって伸縮する。この伸縮により、透光性の板と筐体又は保持部材との間に介装されているスペーサへ力が掛かり、スペーサの接着力が低下しているときにはスペーサが変位する。スペーサの変位は、振動吸収機能の低下、空隙の発生による内部への異物混入などを発生させ、表示品質の低下を起こす原因になる。
【０００７】
特許文献１には、光源装置における液晶パネルを設置する部分に特殊な形状のスペーサを固定しておくことにより、液晶パネルを設置した場合に液晶パネルへのストレス負荷を低減し、液晶パネルと光源装置との間への異物混入を防止することを可能とした光源装置が開示されている。
【先行技術文献】
【特許文献】
【０００８】
【特許文献１】特開２００５−０９１９７１号公報
【発明の概要】
【発明が解決しようとする課題】
【０００９】
特許文献１に開示されているスペーサの構成を、光源装置における透光性の板と筐体又は保持部材との間に介装されるスペーサに適用することはできる。しかしながら、特許文献１に開示されているスペーサは、液晶パネルと光源装置との間の衝撃吸収と異物混入を考慮した構成としており、光源装置の光源を熱源とする加熱と冷却との繰り返しによるスペーサの変位については考慮されていない。また特許文献１では、スペーサを特殊な形状とすることによりその機能を発揮しているが、その形状を形成するためにコスト高となる。
【００１０】
本発明は斯かる事情に鑑みてなされたものであり、簡易な構成でスペーサの変位を防止し、振動吸収機能の低下、又は異物の混入等による表示不良を防止することが可能な光源装置及び該光源装置を備える表示装置を提供することを目的とする。
【課題を解決するための手段】
【００１１】
本発明に係る光源装置は、光源と、該光源に側面又は広面を対向させた透光性の板と、該透光性の板の周縁部を保持する枠状面を有する保持枠と、前記透光性の板の周縁部及び前記保持枠の枠状面間に介装されてあるスペーサとを備える光源装置において、前記保持枠は、前記枠状面における前記スペーサの当接箇所よりも外縁側に、枠形状に沿うようにして設けられているリブと、該リブ及び前記当接箇所の間に設けられている凹部とを備えることを特徴とする。
【００１２】
本発明に係る光源装置は、前記リブは、前記枠状面の全周に亘って設けられており、前記凹部は、前記リブに沿った複数の線状の溝であることを特徴とする。
【００１３】
本発明に係る光源装置は、前記保持枠は、前記枠状面の反対面に、枠形状に沿うようにして設けられているリブと、該リブよりも外縁側に設けられている凹部とを更に備えることを特徴とする。
【００１４】
本発明に係る表示装置は、光源と、該光源に側面又は広面を対向させた透光性の板と、該透光性の板の周縁部を保持する第１の枠状面を有する保持枠と、前記透光性の板の前記周縁部及び前記保持枠の前記第１の枠状面間に介装されてある第１のスペーサと、前記保持枠の前記第１の枠状面とは反対側の第２の枠状面にて前記透光性の板と対向するように周縁部を保持される液晶パネルと、該液晶パネルの周縁部及び前記保持枠の前記第２の枠状面間に介装されてある第２のスペーサとを備え、前記透光性の板から出射する光が前記液晶パネルを照射するようにしてある表示装置において、前記保持枠は、前記第１の枠状面における前記第１のスペーサに対する第１の当接箇所よりも外縁側に、枠形状に沿うようにして設けられている第１のリブと、該第１のリブ及び前記第１の当接箇所の間に設けられている凹部とを備えることを特徴とする。
【００１５】
本発明に係る表示装置は、前記保持枠が、前記第２の枠状面における前記第２のスペーサに対する第２の当接箇所よりも内縁側に、枠形状に沿うようにして設けられている第２のリブと、該第２のリブ及び前記第２の当接箇所の間に設けられている凹部とを備えることを特徴とする。
【００１６】
本発明では、透光性の板を保持する枠状面には、スペーサ（第１のスペーサ）の当接箇所よりも外縁側にリブが設けられており、更にリブよりもスペーサ側に凹部が設けられている。透光性の板が光源からの熱又は周囲の湿気の影響を受けて伸縮を繰り返した場合、スペーサが透光性の板の伸縮に追従して徐々に外縁側に変位する。この変位はリブとの当接により制限されるが、スペーサがリブに達した場合、リブを乗り越えようとする変形分の一部がリブの手前に位置する凹部への入り込みにより吸収され、これにより、スペーサのリブの乗り越えの虞が低下する。
【００１７】
本発明では、凹部が複数の溝によって構成されていることにより、スペーサ（第１のスペーサ）が溝に達したときに各溝間の面がスペーサを支持し、スペーサの大部分又は全部が溝に落ち込むことによる透光性の板と保持枠との間の空隙の発生及び衝撃吸収能力の低下が回避される。
【００１８】
本発明では、保持枠は、拡散板又は導光板などの透光性の板側のスペーサ（第１のスペーサ）が接する面のみならず、液晶パネル（又はカバーガラス等）側のスペーサ（第２のスペーサ）との当接面にもリブ及び凹部が設けられている。液晶パネル側のスペーサとの当接面では、スペーサよりも内縁側にリブが設けられ、リブよりもスペーサ側に凹部が設けられている。保持枠自身が光源からの熱の影響を受けて伸縮を繰り返した場合、保持枠及び液晶パネルとの間のスペーサが保持枠の伸縮に追従して動き、徐々に内縁側に変位する。スペーサがリブに達したとき、リブを乗り越えようとする変形分の一部が、リブの手前に位置する凹部への入り込みにより吸収される。このため、スペーサのリブの乗り越えの虞が低下し、表示領域への入り込みが回避される。
【発明の効果】
【００１９】
本発明による場合、スペーサがリブを乗り越える虞が低下し、スペーサの変位を防止することができるので、振動吸収機能の低下又は異物の混入等を防止し、表示装置の表示品位を保つことが可能である。
【図面の簡単な説明】
【００２０】
【図１】実施の形態１における表示装置の要部を模式的に示す断面図である。
【図２】実施の形態１における第２シャーシの一部を示す模式斜視図である。
【図３】スペーサの経時変化を示す説明図である。
【図４】実施の形態２における表示装置の要部を模式的に示す断面図である。
【図５】スペーサの経時変化を示す説明図である。
【図６】実施の形態３における表示装置の要部を模式的に示す断面図である。
【発明を実施するための形態】
【００２１】
以下に、本発明の実施の形態について図面に基づき具体的に説明する。なお、以下に開示する実施の形態では、液晶パネルを用いた表示装置に本発明を適用した例を挙げて詳細に説明する。
【００２２】
（実施の形態１）
図１は、実施の形態１における表示装置１００の要部を模式的に示す断面図である。表示装置１００は、液晶パネル１及び光源装置２を備える。
【００２３】
液晶パネル１は表示パネルであり、矩形の平板状をなす。液晶パネル１は、所定の間隙を隔てて対向配置された２つのガラス基板１１，１２の間に液晶１３が注入され、封止材１４により封止されて構成される。またガラス基板１１，１２には夫々、ガラス基板１１，１２よりも小さい偏光フィルム１５が貼着されてある。
【００２４】
光源装置２は、光源として発光ダイオード２１を用いる直下型の光源装置である。
【００２５】
発光ダイオード２１は、青色又は紫外光を発光するダイオードの表面に蛍光体が塗布されることで白色光を発する発光素子である。基板２２の一面には複数の発光ダイオード２１が略等間隔に並置されて実装され、またこれらの発光ダイオード２１の点灯を制御する回路が形成されている。
【００２６】
反射シート２３は、ＰＥＴフィルム又はＰＥＴ板材を基材として金属膜等を反射層として積層した光学シートである。
【００２７】
拡散板２４は矩形状の透光性の板材である。拡散板２４は、例えばアクリル樹脂に光拡散材と呼ばれる微粒子を添加して構成されている。
【００２８】
光学シート２７は、ＰＥＴフィルムを基材とした矩形状シート群であり、例えばレンズシート、プリズムシート、及び拡散シートからなる３枚の光学シート群である。
【００２９】
第１シャーシ２５は、一面が開放された金属製の矩形浅箱状であり、適幅の周縁部を有している。
【００３０】
第２シャーシ２６は、矩形枠部２６１と該矩形枠部２６１の外縁に立設される周板２６２とを有する金属製又は樹脂製の枠体である。第２シャーシの周板２６２の内周は第１シャーシ２５の外周と略一致する。第２シャーシ２６は例えば、断面Ｌ字状のアングル材４つを結合して構成される。ここで第２シャーシ２６の模式斜視図を参照して詳細を説明する。図２は、実施の形態１における第２シャーシ２６の一部を示す模式斜視図である。なお図１の断面図中に示される第２シャーシ２６の断面は、図２中のＡ−Ａ´線による断面に相当する。第２シャーシ２６のアングル内側（Ｌ字内側）の面の内、矩形枠部２６１側の面にはアングルの長さ方向の全長に亘ってリブ２６３が設けられており、これにより矩形枠部２６１の全周に亘るリブ２６３が構成される。更に、第２シャーシ２６においては、リブ２６３に対して内縁側に隣接する位置に溝（凹部）２６４が設けられている。溝２６４は図２に示す如く、リブ２６３に沿って所定間隔を開けて所定の長さを有して複数設けられている。
【００３１】
図１に戻り説明を続ける。光源装置２は以下のように組み立てられて、液晶パネル１と共に表示装置１００を構成する。
【００３２】
第１シャーシ２５の底面上に、発光ダイオード２１が実装されている複数の基板２２が配置される。次に反射シート２３が第１シャーシ２５の内壁に沿って設置される。反射シート２３の大きさは、第１シャーシ２５の周縁部を余す程度である。なお反射シート２３には、発光ダイオード２１に対応する位置に孔が設けられており、発光面が露出するようにしてある。次に拡散板２４が第１シャーシ２５の周縁部に反射シート２３を挟んで載置される。拡散板２４は反射シート２３よりも小さく、第１シャーシ２５の周縁部によって支持される。
【００３３】
次に第２シャーシ２６が配置される。第２シャーシ２６の矩形枠部２６１のアングル内側の面には、溝２６４よりも内縁側の位置に、全周に亘ってスペーサ６０が延設されている。スペーサ６０の高さはリブ２６３よりも高い。スペーサ６０は例えばゴムなどの柔軟な素材からなり、第２シャーシ２６に両面テープで接着固定されている。なおスペーサ６０は遮光性を有しているとよい。そして第２シャーシ２６は、スペーサ６０の接着面とは反対側の面を拡散板２４の周縁部に当接させ、矩形枠部２６１で拡散板２４の周縁部を覆うようにし、周板２６２の内側に第１シャーシ２５の側板外周を嵌め合わせるようにして設置される。これにより、反射シート２３及び拡散板２４が第１シャーシ２５及び第２シャーシ２６により挟持され、発光ダイオード２１及び基板２２と共に収容される。
【００３４】
次に光学シート２７が設置され、これにより光源装置２が構成される。光学シート２７は、枠体である第２シャーシ２６の開口部よりも大きく、第２シャーシ２６の矩形枠部２６１の外側の面の開口部周縁に設けられた凹部により、周縁部が保持されるようにしてある。
【００３５】
更に、液晶パネル１が光源装置２上に設置される。液晶パネル１は第２シャーシ２６よりも少し小さく、矩形枠部２６１の開口部周縁に設けられた凹部を覆う大きさである。第２シャーシ２６の開口部周縁に設けられた凹部よりも外側の外周縁部には、全周に亘ってスペーサ７０が設けられている。スペーサ７０は例えばゴムなどの柔軟な素材からなり、第２シャーシ２６に予め両面テープで接着固定されている。そして液晶パネル１のガラス基板１２側の周縁部におけるガラス基板１２の露出面がスペーサ７０に当接するように、液晶パネル１が光源装置２上に載置される。
【００３６】
次にベゼル３が設置される。ベゼル３は例えば金属製であり、断面Ｌ字状のアングルから構成される枠体である。ベゼル３の内側開口部より少し外側に周方向の全長に亘ってスペーサ３０が設けられている。スペーサ３０は例えばゴム等の柔軟な素材からなり、ベゼル３に両面テープで接着固定されている。スペーサ３０は遮光性を有しているとよい。ベゼル３の周板の内周は第２シャーシ２６の周板２６２外周と略一致し、ベゼル３の開口部は液晶パネル１よりも小さく、より詳細にはガラス基板１１に貼着されている偏光フィルム１５よりも小さい。液晶パネル１のガラス基板１１側の周縁部におけるガラス基板１１の露出面がスペーサ３０に当接するように、ベゼル３が液晶パネル１上に設置される。このときベゼル３の周板の内側に第２シャーシ２６の周板２６２外周を嵌め合わせるようにして設置される。ベゼル３、第２シャーシ２６及び第１シャーシ２５間を結合することにより、液晶パネル１がベゼル３及び第２シャーシ２６により挟持されて表示装置１００が構成される。このときベゼル３の開口部から液晶パネル１の表示領域が露出し、外部から視認可能である。
【００３７】
以上のように構成される表示装置１００では、光源装置２において基板２２上に配置された発光ダイオード２１からの光が、直接的又は反射シート２３で反射されて拡散板２４に入射する。拡散板２４内では、入射光が光拡散材による散乱を繰り返し、発光ダイオード２１とは反対面側の出射面の各箇所から均一的に出射される。拡散板２４からの出射光は更に光学シート２７を通ることで、より均一な平面光として出射される。これにより、光源装置２は均一な照度の光を出射する面光源として機能する。光学シート２７から出射した平面光が、液晶パネル１に照射され、液晶パネル１内で画像信号に基づいて複数の画素に応じた箇所で変調される。これにより、視聴者は表示装置１００にて動画像を視認することが可能となる。
【００３８】
実施の形態１の光源装置２において拡散板２４は、主に発光ダイオード２１を熱源とする加熱及び冷却により伸縮する。この伸縮により、第１シャーシ２５との間に拡散板２４を挟持する第２シャーシ２６に接着されているスペーサ６０が、外縁側へ向けて変位する。この変位は、リブ２６３に当接することで止まるが、変位の力が強い場合リブ２６３を乗り越える虞がある。実施の形態１における第２シャーシ２６では、更に、リブ２６３よりも内縁側（スペーサ６０からは手前側）に溝２６４が設けられており、溝２６４が乗り越えを抑止する作用をなす。以下、リブ２６３及び溝２６４によるスペーサ６０の乗り越え抑止について図面を参照して詳細に説明する。
【００３９】
図３は、スペーサ６０の経時変化を示す説明図である。図３は、図１に示した表示装置１００の要部断面図の内、スペーサ６０部分の拡大図である。図中二点鎖線により、表示装置１００の組み立て時におけるスペーサ６０の位置を示している。例えば表示装置１００の電源がオンとされたとき、発光ダイオード２１が点灯することで光源装置２内部の温度が上昇を開始し、拡散板２４は熱膨張しようとする。温度上昇開始時点においては第２シャーシ２６へのスペーサ６０の接着強度と、拡散板２４及びスペーサ６０間の摩擦力とでは摩擦力の方が勝った状態であり、スペーサ６０は拡散板２４の膨張に追随する方向、即ち外縁側へ変位する。温度上昇につれて、第２シャーシ２６へのスペーサ６０の接着強度が拡散板２４及びスペーサ６０間の摩擦力よりも勝るようになり、スペーサ６０の拡散板２４の膨張に追随する方向への力は低下する。次に、表示装置１００の電源がオフとされたとき、発光ダイオード２１が消灯することによって光源装置２内部の温度の下降が開始され、拡散板２４は熱収縮しようとする。この時点では、温度が上昇した状態であるから第２シャーシ２６へのスペーサ６０の接着強度が拡散板２４及びスペーサ６０間の摩擦力よりも勝った状態にある。したがって温度下降開始時では、拡散板２４の収縮に追随する方向（内縁側）へのスペーサ６０の変位量は、温度上昇開始時の外縁側への変位量と比較して少ない。つまり、光源装置２の温度上昇開始時はスペーサ６０が第２シャーシ２６上で外縁側へ変位し易く、温度下降開始時は、スペーサ６０は内縁側へ変位し難い。したがって光源装置２の加熱及び冷却の繰り返しにより、スペーサ６０は徐々に外縁側へ向けて図３に示す如くリブ２６３側へ変位する。
【００４０】
実施の形態１における光源装置２においては、スペーサ６０の外縁側への変位を抑止するためにリブ２６３が形成されている。ただし、リブ２６３の高さはスペーサ６０よりも低く、リブ２６３と拡散板２４との間には隙間が存在するから、スペーサ６０の変位が大きくなった場合、スペーサ６０は隙間から膨出するように変形し、リブ２６３を乗り越える虞がある。実施の形態１における光源装置２の第２シャーシ２６は、リブ２６３よりも内縁側に溝２６４を設けたものである。溝２６４により、変位を続けたスペーサ６０がリブ２６３へ到達したときに、溝２６４内に膨出するように変形することができる。したがって、リブ２６３を乗り越えようとする変形分の一部が溝２６４への膨出によって吸収され、これにより、スペーサ６０のリブ２６３と拡散板２４との間の隙間からの膨出が抑制され、スペーサ６０によるリブ２６３の乗り越えの虞が低下する。したがって、スペーサ６０がリブ２６３を乗り越え、更に外縁側へ変位して拡散板２４と第２シャーシ２６との間から抜け出ることによるスペーサ６０の拡散板２４への保持機能及び衝撃吸収機能の喪失、拡散板２４と第２シャーシ２６との間の空隙の発生が防止される。
【００４１】
しかも、溝２６４は図２に示した如く、複数の溝２６４が所定間隔を開けて所定の長さを有して設けられているため、スペーサ６０の一部が所定間隔に対応する矩形枠部２６１の内側面に支持される。溝２６４が所定間隔を開けて複数設けられていることにより、柔軟な素材からなるスペーサ６０の大部分又は全部が溝２６４内部に入り込むことが抑止される。したがってスペーサ６０と拡散板２４との間の接触面積が縮小されることによる衝撃吸収機能の低下、スペーサ６０と拡散板２４との間の空隙の発生を抑制することも可能である。
【００４２】
（実施の形態２）
図４は、実施の形態２における表示装置１００ｂの要部を模式的に示す断面図である。実施の形態２における表示装置１００ｂの構成は、第２シャーシ２６ｂ以外は実施の形態１における表示装置１００の構成と同一であるから、共通する構成部については同一の符号を付して詳細な説明を省略する。
【００４３】
第２シャーシ２６ｂは、矩形枠部２６１と該矩形枠部２６１の外縁に立設される周板２６２とを有する金属製又は樹脂製の枠体である。第２シャーシ２６ｂの内周は、第１シャーシ２５の外周と略一致する。第２シャーシ２６ｂは例えば、断面Ｌ字状のアングル４つを結合して構成される。第２シャーシ２６ｂのアングル内側（Ｌ字内側）の面の内、矩形枠部２６１側の面にはアングルの長さ方向の全長に亘ってリブ２６３が設けられており、これにより矩形枠部２６１の全周に亘るリブ２６３が構成される。更に、第２シャーシ２６ｂにおいては、リブ２６３に対して内縁側に隣接する位置に溝（凹部）２６４が設けられている。なお溝２６４は、リブ２６３に沿って所定間隔を開けて所定の長さを有して複数設けられているとよい。
【００４４】
実施の形態２における第２シャーシ２６ｂには更に、アングル外側（Ｌ字外側）の面の内、矩形枠部２６１の開口部周縁に設けられた凹部よりも外側の外周縁部における開口部寄りの位置に、全周に亘ってリブ２６５が設けられ、リブ２６５の外縁側に隣接する位置に溝（凹部）２６６が設けられている。なお溝２６６は、リブ２６５に沿って所定間隔を開けて所定の長さを有して複数設けられているとよい。
【００４５】
このように実施の形態２では、第２シャーシ２６ｂの外側の面、即ち液晶パネル１側の面にもリブ２６５及び溝２６６が設けられている。光源装置２ｂに液晶パネル１が設置されるに際し、スペーサ７０がリブ２６５及び溝２６６よりも外縁側に、リブ２６５に沿うようにして第２シャーシ２６ｂに接着固定される。そしてスペーサ７０を介して液晶パネル１が載置される。
【００４６】
実施の形態２においては、表示装置１００ｂの加熱及び冷却の繰り返しによるスペーサ７０の変位も抑止される。図５は、スペーサ７０の経時変化を示す説明図である。図５は、図４に示した表示装置１００ｂの要部断面図の内、スペーサ７０部分の拡大図である。図中二点鎖線により、表示装置１００ｂの組み立て時におけるスペーサ７０の位置を示している。例えば表示装置１００ｂの電源がオンとされたとき、発光ダイオード２１が点灯することで光源装置２ｂ全体の温度が上昇を開始し、第２シャーシ２６ｂも熱膨張しようとする。第２シャーシ２６ｂの熱膨張率は、拡散板２４の熱膨張率よりも小さいが、ガラス基板１２の熱膨張率よりも大きい。したがって、温度上昇によって第２シャーシ２６ｂは膨張する。温度上昇開始時点においては第２シャーシ２６ｂへのスペーサ７０の接着強度と、スペーサ７０及びガラス基板１２間の摩擦力とでは摩擦力の方が勝った状態であり、スペーサ７０は第２シャーシ２６ｂの膨張に対し、その場にとどまる。その後、表示装置１００ｂの電源がオフとされたとき、発光ダイオード２１が消灯することによって光源装置２ｂ内部の温度の下降が開始され、第２シャーシ２６ｂは収縮しようとする。この時点では、温度が上昇した状態であるから、スペーサ７０の第２シャーシ２６ｂへの接着強度がスペーサ７０及びガラス基板１２間の摩擦力に勝った状態にある。したがって、温度下降開始時では、スペーサ７０は第２シャーシ２６ｂ自身の内縁側への収縮に追随する方向へ移動する。つまり、光源装置２ｂの温度上昇開始時はスペーサ７０が第２シャーシ２６ｂ上で外縁側へ変位し難く、温度下降開始時は、スペーサ７０は内縁側へ変位し易い。したがって、光源装置２ｂの加熱及び冷却の繰り返しにより、スペーサ７０は徐々に内縁側へ向け図５に示す如くリブ２６５側へ変位する。
【００４７】
実施の形態２における光源装置２ｂにおいては、スペーサ７０の内縁側への変位を抑止するためにリブ２６５が形成されている。ただし、リブ２６５の高さはスペーサ７０よりも低く、リブ２６５と液晶パネル１のガラス基板１２との間には隙間が存在するから、スペーサ７０の変位が大きくなった場合、スペーサ７０は隙間から膨出するように変形し、リブ２６５を乗り越える虞がある。実施の形態２における光源装置２ｂの第２シャーシ２６ｂは、リブ２６５よりも外縁側に溝２６６を設けたものである。溝２６６により、変位を続けたスペーサ７０がリブ２６５へ到達したときに、溝２６６内に膨出するように変形することができる。したがって、リブ２６５を乗り越えようとするスペーサ７０の変形分の一部が溝２６６への膨出によって吸収され、これにより、スペーサ７０のリブ２６５と液晶パネル１のガラス基板１２との隙間からの膨出が抑制され、スペーサ７０によるリブ２６５の乗り越えの虞が低下する。したがって、スペーサ７０がリブ２６５を乗り越え、更に内縁側へ変位して液晶パネル１と第２シャーシ２６ｂとの間から抜け出ることによるスペーサ７０の液晶パネル１への保持機能及び衝撃吸収機能の喪失、液晶パネル１と第２シャーシ２６ｂとの間の空隙の発生、並びに、表示領域への入り込みを防止することができる。
【００４８】
しかも、溝２６６は溝２６４同様に複数の溝２６６が所定間隔を開けて所定の長さを有して設けられているため、スペーサ７０の一部が所定間隔に対応する矩形枠部２６１の内側面に支持される。これにより、柔軟な素材からなるスペーサ７０の大部分又は全部が溝２６６内部に入り込むことが抑止される。したがってスペーサ７０と液晶パネル１のガラス基板１２との間の接触面積が縮小されることによる衝撃吸収機能の低下、スペーサ７０とガラス基板１２との間の空隙の発生を抑制することも可能である。
【００４９】
（実施の形態３）
図６は、実施の形態３における表示装置２００の要部を模式的に示す断面図である。表示装置２００は、液晶パネル１及び光源装置４を備える。なお液晶パネル１の構成は、実施の形態１における構成と同一であるので同一の符号を付して詳細な説明を省略する。
【００５０】
光源装置４は、光源として発光ダイオード４１を用いるエッジライト型の光源装置である。
【００５１】
発光ダイオード４１は、青色又は紫外光を発光するダイオードの表面に蛍光体が塗布されることで白色光を発する発光素子である。基板４２は短冊状の板である。基板４２の一面には、長さ方向に複数の発光ダイオード４１が略等間隔に並置されて実装され、またこれらの発光ダイオード４１の点灯を制御する回路が形成されている。
【００５２】
反射シート４３は、ＰＥＴフィルムを基材として金属膜等を反射層として積層した光学シートである。
【００５３】
導光板４４は矩形状の透明板である。導光板４４は、例えばアクリル樹脂製である。なお導光板４４の一広面側には、散乱ドットが印刷又はレーザ加工により形成されている。
【００５４】
光学シート４７は、ＰＥＴフィルムを基材とした矩形状シート群であり、例えばレンズシート、プリズムシート、及び拡散シートからなる３枚の光学シート群である。
【００５５】
第１シャーシ４５は、一面が開放された金属製の矩形浅箱状をなす。
【００５６】
第２シャーシ４６は、矩形枠部４６１と該矩形枠部４６１の外縁に立設される周板４６２とを有する金属製又は樹脂製の枠体である。第２シャーシ４６の周板４６２の内周は第１シャーシ４５の側板の外周と略一致する。第２シャーシ４６は例えば、断面Ｌ字状のアングル材４つを結合して構成される（図２に示す第２シャーシ２６と同様）。第２シャーシ４６のアングル内側（Ｌ字内側）の面の内、矩形枠部４６１側の面にはアングルの長さ方向の全長に亘ってリブ４６３が設けられており、これにより矩形枠部４６１の全周に亘るリブ４６３が構成される。更に、第２シャーシ４６においては、リブ４６３に対して内縁側に隣接する位置に溝（凹部）４６４が設けられている。溝４６４は、図２における第１シャーシ２６同様、リブ４６３に沿って所定間隔を開けて所定の長さを有して複数設けられている。
【００５７】
光源装置４は以下のように組み立てられて、液晶パネル１と共に表示装置２００を構成する。
【００５８】
第１シャーシ４５の底面上に、反射シート４３が載置される。反射シート４３の大きさは、第１シャーシ４５の底面よりも少し小さい。第１シャーシ４５の側板の高さは、基板４２の幅相当分よりも高く、その側板の内側面の１つに、発光ダイオード４１の実装面が内側に向くように基板４２が固定される。そして導光板４４が反射シート４３上に設置される。導光板４４の大きさは、反射シート４３よりも小さく、導光板４４の厚みは第１シャーシ４５の深さ相当分よりも薄いので、導光板４４は反射シート４３と共に第１シャーシ４５内部に収容される。なおこのとき、導光板４４の一側面と基板４２の発光ダイオード４１実装面が対向するようにしてあり、導光板４４は、散乱ドットの形成面が反射シート４３側になるように設置される。
【００５９】
次に第２シャーシ４６が配置される。第２シャーシ４６の矩形枠部４６１のアングル内側の面には、溝４６４よりも内縁側の位置に、全周に亘ってスペーサ６１が延設されている。スペーサ６１の高さはリブ４６３よりも高い。スペーサ６１は例えばゴムなどの柔軟な素材からなり、第２シャーシ４６に両面テープで接着固定されている。なおスペーサ６１は遮光性を有しているとよい。そして第２シャーシ４６は、スペーサ６１の接着面とは反対側の面を導光板４４の周縁部に当接させ、矩形枠部４６１で導光板４４の周縁部を覆うようにし、周板４６２の内側に第１シャーシ４５の側板外周を嵌め合わせるようにして設置される。このとき第２シャーシ４６の各アングル内側の凹部からなる周溝に、第１シャーシ４５の周板の端部が嵌合するようにしてある。これにより、反射シート４３及び導光板４４が第１シャーシ４５及び第２シャーシ４６により挟持され、発光ダイオード４１と共に収容される。
【００６０】
次に光学シート４７が設置され、これにより光源装置４が構成される。光学シート４７は、第２シャーシ４６の開口部よりも大きく、第２シャーシ４６の矩形枠部４６１の外側面の開口部周縁に設けられている凹部により、周縁部が保持されるようにしてある。
【００６１】
更に、液晶パネル１が光源装置４上に設置される。液晶パネル１は第２シャーシ４６よりも少し小さく、矩形枠部４６１の開口部周縁に設けられた凹部を覆う大きさである。第２シャーシ４６の開口部周縁に設けられた凹部よりも外側の外周縁部には、全周に亘ってスペーサ７１が設けられている。スペーサ７１は例えばゴムなどの柔軟な素材からなり、第２シャーシ４６に予め両面テープで接着固定されている。そして液晶パネル１のガラス基板１２側の周縁部におけるガラス基板１２の露出面がスペーサ７１に当接するように、液晶パネル１が光源装置４上に載置される。
【００６２】
次にベゼル３が設置される。ベゼル３及びスペーサ３０は実施の形態１におけるベゼル３及びスペーサ３０と同様であるので同一の符号を付して詳細な説明を省略する。ベゼル３の周板の内周は第２シャーシ４６の周板４６２外周と略一致する。液晶パネル１のガラス基板１１側の周縁部におけるガラス基板１１の露出面がスペーサ３０に当接するように、ベゼル３が液晶パネル１上に設置される。このときベゼル３の周板の内側に第２シャーシ４６の周板４６２外周を嵌め合わせるようにして設置される。ベゼル３、第２シャーシ４６及び第１シャーシ４５間を結合することにより、液晶パネル１がベゼル３及び第２シャーシ４６により挟持されて表示装置２００が構成される。このときベゼル３の開口部から液晶パネル１の表示領域が露出し、外部から視認可能である。
【００６３】
以上のように構成される表示装置２００では、光源装置４において基板４２上に配置された発光ダイオード４１からの線状の光が導光板４４内に進入する。導光板４４内では、内部に進入した光が反射シート４３における全反射と他面における部分反射を繰り返して内部を進行する。進行した光の内、導光板４４の散乱ドットにて散乱された光が光学シート４７側の面から出射される。これにより、導光板４４の光学シート４７側の面における各箇所から均一に光が出射され、出射光は更に光学シート４７を通ることでより均一な平面光として出射される。これにより、光源装置４は均一な照度の光を出射する面光源として機能する。光学シート４７から出射した平面光が、液晶パネル１に照射され、液晶パネル１内で画像信号に基づいて複数の画素に応じた箇所で変調される。これにより、視聴者は表示装置２００にて動画像を視認することが可能となる。
【００６４】
実施の形態３の光源装置４において導光板４４は、主に発光ダイオード４１を熱源として加熱及び冷却による伸縮する。この伸縮により、第１シャーシ４５との間に導光板４４を挟持する第２シャーシ４６に接着されているスペーサ６１が、外縁側に向けて変位する。この変位は、リブ４６３に当接することで止まるが、変位の力が強い場合、リブ４６３を乗り越える虞がある。実施の形態３における第２シャーシ４６では、更に、リブ４６３よりも内縁側（スペーサ６１からは手前側）に溝４６４が設けられており、溝４６４が乗り越えを抑止する作用をなす。リブ４６３及び溝４６４による乗り越え抑止の作用については、実施の形態１における図３を参照した詳細な説明と同様である。
【００６５】
そして溝４６４も所定間隔を開けて所定の長さを有して複数設けられているため、スペーサ６１の一部が所定間隔に対応する矩形枠部４６１の内側面に支持される。溝４６４が所定間隔を開けて複数設けられていることにより、柔軟な素材からなるスペーサ６１の大部分又は全部が溝４６４内に入り込むことが抑止される。したがってスペーサ６１と導光板４４との間の接触面積が縮小されることによる衝撃吸収機能の低下、スペーサ６１と導光板４４との間の空隙の発生を抑制することも可能である。
【００６６】
また、実施の形態３における光源装置４においても、実施の形態２のように第２シャーシ４６の外側の面にもリブ及び溝を設け、液晶パネル１との間に介装されるスペーサ７１の移動を阻止することも可能である。
【００６７】
開示された実施の形態は、全ての点で例示であって制限的なものではないと考えられるべきである。本発明の範囲は上述の説明ではなくて請求の範囲によって示され、請求の範囲と均等の意味及び範囲内での全ての変更が含まれることが意図される。
【符号の説明】
【００６８】
１  液晶パネル
２，４  光源装置
２１  発光ダイオード（光源）
２４  拡散板（透光性の板）
２６，２６ｂ  第２シャーシ
２６１  矩形枠部
２６３，２６５  リブ
２６４，２６６  溝（凹部）
４４  導光板（透光性の板）
４６  第２シャーシ
４６１  矩形枠部
４６３  リブ
４６４  溝（凹部）
６０，６１，７０，７１  スペーサ
１００，１００ｂ  表示装置
【手続補正２】
【補正対象書類名】特許請求の範囲
【補正対象項目名】全文
【補正方法】変更
【補正の内容】
【特許請求の範囲】
【請求項１】
光源と、該光源に側面又は広面を対向させた透光性の板と、該透光性の板の周縁部を保持する枠状面を有する保持枠と、前記透光性の板の前記周縁部と前記保持枠の前記枠状面との間に介装されてあるスペーサとを備える光源装置において、
前記保持枠は、
前記枠状面における前記スペーサの当接箇所よりも外縁側に、枠形状に沿うようにして設けられている第１のリブと、
該第１のリブと前記当接箇所との間に設けられている第１の凹部と
を備えることを特徴とする光源装置。
【請求項２】
前記第１のリブは、前記枠状面の全周に亘って設けられており、
前記第１の凹部は、前記第１のリブに沿った複数の線状の溝である
ことを特徴とする請求項１に記載の光源装置。
【請求項３】
前記保持枠は、
前記枠状面の反対面に、枠形状に沿うようにして設けられている第２のリブと、
該第２のリブよりも外縁側に設けられている第２の凹部と
を更に備えることを特徴とする請求項１に記載の光源装置。
【請求項４】
光源と、該光源に側面又は広面を対向させた透光性の板と、該透光性の板の周縁部を保持する第１の枠状面を有する保持枠と、前記透光性の板の前記周縁部と前記保持枠の前記第１の枠状面との間に介装されてある第１のスペーサと、前記保持枠の前記第１の枠状面とは反対側の第２の枠状面にて前記透光性の板と対向するように周縁部を保持される液晶パネルと、該液晶パネルの前記周縁部と前記保持枠の前記第２の枠状面との間に介装されてある第２のスペーサとを備え、前記透光性の板から出射する光が前記液晶パネルを照射するようにしてある表示装置において、
前記保持枠は、
前記第１の枠状面における前記第１のスペーサに対する第１の当接箇所よりも外縁側に、枠形状に沿うようにして設けられている第１のリブと、
該第１のリブと前記第１の当接箇所との間に設けられている第１の凹部と
を備えることを特徴とする表示装置。
【請求項５】
前記保持枠は、
前記第２の枠状面における前記第２のスペーサに対する第２の当接箇所よりも内縁側に、枠形状に沿うようにして設けられている第２のリブと、
該第２のリブと前記第２の当接箇所との間に設けられている第２の凹部と
を更に備えることを特徴とする請求項４に記載の表示装置。
【手続補正３】
【補正対象書類名】図面
【補正対象項目名】図６
【補正方法】変更
【補正の内容】
【図６】
2016170620.tif 000009
【国際調査報告】
2016170620.tif 000010
2016170620.tif 000011
2016170620.tif 000012
2016170620.tif 000013